(57)【特許請求の範囲】
【請求項１】
羽根部材と前記羽根部材を支持するハブ部材とからなり、空気調和機の送風口から吹き降ろされる風が前記羽根部材の回転軌道上に当たるよう配設される羽根車と、
前記羽根車の回転軸を構成するシャフト部材と、
前記空気調和機の下方に前記シャフト部材を吊り下げる吊下部材と、を備え、
少なくとも前記送風口から吹き出される風のみによって前記羽根車を自転可能としたこと、
を特徴とする気流拡散装置。
【請求項２】
羽根部材とスポーク部材と前記スポーク部材を支持するハブ部材とからなり、空気調和機の送風口から吹き降ろされる風が前記羽根部材の回転軌道上に当たるよう配設される羽根車と、
前記羽根車の回転軸を構成するシャフト部材と、
前記空気調和機の下方に前記シャフト部材を吊り下げる吊下部材と、を備え、
少なくとも前記送風口から吹き出される風のみによって前記羽根車を自転可能としたこと、
を特徴とする気流拡散装置。
【請求項３】
羽根部材とスポーク部材と前記スポーク部材を支持するハブ部材とからなり、空気調和機の送風口から吹き降ろされる風が前記羽根部材の回転軌道上に当たるよう配設される羽根車と、
ねじ山が形成された上端と前記羽根車を水平に軸支する下端を有するシャフト部材と、
前記シャフト部材の螺入孔を有し、前記空気調和機の吸い込み口正面に配置する台座プレートと、
前記シャフト部材の前記空気調和機の吸い込み口背面に配置する背面プレートと、
前記台座プレートと背面プレートを挟持して、前記シャフト部材を前記空気調和機の吸い込み口正面に吊り下げる挟持部材と、を備え、
風によって前記羽根車を自転可能としたこと、
を特徴とする気流拡散装置。
【請求項４】
前記羽根部材のピッチ角は可変であること、を特徴とする請求項１乃至３いずれか一に記載の気流拡散装置。
【請求項５】
前記羽根部材が、前記スポーク部材上を移動可能としたこと、を特徴とする請求項１乃至４いずれか一に記載の気流拡散装置。
【請求項６】
前記シャフト部材に、前記羽根車の荷重を支持する軸受部材を嵌挿したこと、を特徴とする請求項１乃至５いずれか一に記載の気流拡散装置。
【請求項７】
前記シャフト部材によって複数の羽根車を１軸上に配設したこと、を特徴とする請求項１乃至６いずれか一に記載の気流拡散装置。
【請求項８】
前記羽根部材に代えて、飾り部材を配設したこと、を特徴とする請求項１乃至７いずれか一に記載の気流拡散装置。
【請求項９】
請求項１乃至８いずれか一に記載の気流拡散装置を備えたことを特徴とする空気調和機。
【発明の詳細な説明】
【技術分野】
【０００１】
本発明は、空気調和機（エアーコンディショナー）や送風ダクト等からの風を拡散する気流拡散装置（拡散扇）及び該装置を備えた空気調和機に関する。
【背景技術】
【０００２】
空気調和機からの冷風が直接当たる位置に居ると、冷え性のほか、体のバランスにも影響を及ぼすと言われている。空気調和機からの冷風が直接当たる位置に居ざるを得ない者を守るために、空気調和機を間欠的に動作させるタイマー機能のほか、吹き出し口内部等に複数の風向調整板を備え、適当な時間間隔で上下左右に風向を変更できる機能を備えたものも一般的である。また、自然風に近い風量・風向制御を行うゆらぎ機能を備えた空気調和機も製品化されるに至っている。
【０００３】
また、風向自体を全く変えてしまうものとして、実用新案登録第３０７８４１９号記載の風向変更装置等がある。この種の装置を用いれば、例えば、受付窓口等の担当者席に向かう冷風を、板状部材によって、所定方向（例えば、訪問客ロビー側）に返すことが可能となっている。
【０００４】
【特許文献１】実用新案登録第３０７８４１９号
【発明の開示】
【発明が解決しようとする課題】
【０００５】
そもそも空気調和機が設置された空間の利用者それぞれに、快適な温度というものがあり、万人に満足の行く気温設定や風向の調整が難しいことに問題がある。また、各種空気調和機は冷暖房を効率良くなしうるよう、冷気は上方に、暖気は下方に吹き出すよう設計されているため、強冷房時は冷たい空気が強く吐き出され、強暖房時には熱い空気が強く吐き出される。例えば冷房について見ると、上記風向調整板を用いた首振り機能やゆらぎ機能を用いたとしても、強冷房時は冷気に直接さらされる人間を増やしてしまうことになるため、実用新案登録第３０７８４１９号記載のような装置が必要となる。更には、設置場所の観点から吹出し口の幅を大きく取れず吹出し範囲が制限される場合や、美観や安全性等の面から首振り範囲自体が制限される場合がある。
【０００６】
また、上述の実用新案登録の風向変更装置では、当該装置が設置された方向には直接風が全く届かないことになってしまい、当該状態を快適と感じる者とそうでない者とが表れてしまう。例えば、顧客の待合ロビーと業務窓口の中間の天井に、天井設置型の空気調和機が設置されている場合、上述の実用新案登録の風向変更装置を用いることによって、窓口担当者に冷風が当たらないようにすることができるが、窓口担当者の背後で従事する者にも冷風が届かなくなってしまうことになる。
【０００７】
また、レストランや車両内等の利用者の出入が激しい場所では、上述の実用新案登録の風向変更装置を適用することは困難である。例えば、絶えず入れ替わる利用者からの申出に応じて、上述の実用新案登録の風向変更装置をその都度着脱することになり、現実的な解決策は得られない。
【０００８】
更に、上述の実用新案登録の風向変更装置では、空間全体の空調設計にて予定されていた空気の対流をも妨げてしまうという難点もある。
【０００９】
また、上述した実用新案登録記載の風向変更装置同様に、追加の動力源を必要としない構成であることも望まれる。そうすれば、配線等に悩む必要も無く後付けの設置が容易となり、また装置全体の軽量化にも資することができる。
【００１０】
本発明は、上述した事情に鑑みてなされたものであって、無動力で動作し、広角に吹出し気流を拡散し部屋の温度を均一化するとともに、冷え性や冷房病の対策ともなる後付け型の気流拡散装置（拡散扇）を提供することにある。
【課題を解決するための手段】
【００１１】
本発明の第１の視点によれば、空気調和機や送風ダクト等の送風口付近に設置する気流拡散装置が提供される。この気流拡散装置は、羽根部材と前記羽根部材を支持するハブ部材とからなる羽根車と、前記羽根車の回転軸を構成するシャフト部材と、前記空気調和機の下方に前記シャフト部材を吊り下げる吊下部材と、を含んで構成される。前記羽根車は、前記少なくとも風のみによって自転できるように、前記送風口から吹き降ろされる風が羽根部材の回転軌道上を通過し乃至当たるよう配設される。
【００１２】
また、本発明の第２の視点によれば、この気流拡散装置を備えた空気調和機が提供される。
【発明の効果】
【００１３】
本発明によれば、空気調和機等から吐き出される気流を拡散させることができるため、部屋全体の温度のムラを解消することができる。また、冷房時、少なくとも上記羽根車の羽根部材が回転している間は、当該吹き出し方向に居る利用者に届く冷気流は羽根部材によって遮られ分断されるため、冷え性や冷房病の対策としても有効である。
【００１４】
また、本発明に係る気流拡散装置（拡散扇）は、追加の動力源を必要とするものでない無動力型であり、気流拡散のために、余分な二酸化炭素（ＣＯ２）を排出することもない。
【発明を実施するための最良の形態】
【００１５】
続いて、本発明を天井埋込型の空気調和機に後付けする気流拡散装置（拡散扇）として構成した最良の実施の形態について説明する。はじめに、天井埋込型の空気調和機について概説する。天井埋込型の空気調和機２００は、オフィスビルや店舗等で広く採用されているものであり、吸込口１１０を装置中央部分に備えるとともに、吹出口１００を２方乃至４方に備え、それぞれ斜め前方に向かって冷風を送風可能となっている（図１０参照）。
【００１６】
図１は、本実施形態に係る気流拡散装置（拡散扇）を、側方から見た場合の概略構成を表した図である。図１を参照すると、気流拡散装置（拡散扇）は、吊下げ機構１０と、垂直シャフト２０と、羽根部材３０、スポーク４０（うち２本を図示）、ハブ５０とからなる羽根車で構成され、空気調和機の吸込口１１０のグリル部分に吊下げられた状態が示されている。
【００１７】
羽根車は、羽根部材３０の回転軌道に、空気調和機の吹出口１００から吹き出す風が当たるように配設される。なお、本実施の形態に係る気流拡散装置（拡散扇）羽根部材３０は、後述するようにスポーク４０上を摺動可能であるため、空気調和機の吸込口１１０に設置した後から調整することも可能である。
【００１８】
図２は、図１の中央付近を拡大した側面図である。図２を参照すると、吊下げ機構１０は、背面プレート１１と、台座プレート１２と、背面プレート１１と台座プレート１２との間に空気調和機の吸込口１１０のグリル部分を挟んで保持するためのボルト１３及びナット１４とが示されている。
【００１９】
背面プレート１１は、前記空気調和機の吸い込み口背面に配置し、装置全体を空気調和機の吸込口１１０に掛止するための部材である。台座プレート１２は、ねじ山が形成された垂直シャフト挿入部１２ａを有し、空気調和機の吸込口１１０正面に配置し、垂直シャフトを取り付ける台座をなす部材である。
【００２０】
また、垂直シャフト２０の上端は、台座プレート１２の垂直シャフト挿入部１２ａのねじ山に適合するねじ山が形成されており、垂直シャフト２０の下端は、上述した羽根車のハブ５０と、ベアリングプレート６０とが挿入され、最後にエンド部材７０が固着されている。
【００２１】
ベアリングプレート６０は、表面（上面）に多数のボール（鋼球、ステンレス球、プラスチック球）を埋設したリング状の部材であり、ハブ５０が速やかに回転を開始し、またその回転を保持できるようになっている。
【００２２】
図３は、本実施形態に係る気流拡散装置（拡散扇）の羽根車の平面図である。図３を参照すると、ハブ５０は６本のスポーク４０を支持しており、各スポーク４０の先端には、羽根部材３０が装着された、６枚羽根の羽根車が示されている。また、羽根車は、図中点線で示された空気調和機の４つの吹出口１００によって構成される４角形の中心に配置され、静止した状態にあっても、いずれかの羽根部材３０が吹出口１００の外方下側に位置し、風を受けて回転を開始できるようになっている。また、本実施の形態に係る羽根車は、空気調和機の吸込口１１０の障害とならないように、ハブ５０を介して対向する羽根部材３０間を離隔し、スペースを確保できるような構成となっている。
【００２３】
図４は、図３の羽根部材３０のＰ−Ｐ’断面拡大図である。図４を参照すると、各羽根部材３０は、スポーク保持構造３２を有しており、スポーク保持構造３２にスポーク４０を挿入して取り付けることが可能となっている。また、スポーク４０の断面は円形であり、スポーク保持構造３２のビス３２ａによって、羽根部材３０を所望のピッチ角に変更し固定することが可能となっている。また、図５に示すように、ビス３２ａを緩めて、羽根部材３０をスポーク４０上を移動させ、空気調和機の吹出口１００のレイアウトに適合させることや、羽根車全体の径を拡大乃至縮小することが可能となっている。
【００２４】
この羽根部材３０は、例えばアルミ板、アクリル板等を好適に使用することができる。また、羽根車全体も、能動的に動作し風を起こすものではないため、特段剛性の高い構成を採用する必要もない。
以上の構成よりなる気流拡散装置（拡散扇）は、その羽根車の羽根部材３０の数、形状、面積、ピッチ角等に応じて、図１に示すように、空気調和機の吹出口１００からの風を受けて、風力で回転し、気流を拡散することができる。また、少なくとも、吹出口１００と利用者との間に羽根部材３０が位置する状態を所定時間毎に作り出すことができ、冷気等が利用者に吹き付けられる時間を短くすることが可能となっている。
【００２５】
続いて、本発明の第２の実施の形態について説明する。本実施の形態は、上述した第１の実施の形態の羽根車の羽根部材３０のいくつかを図形や絵をあしらった飾り羽根に変更したことを特徴する。図６は、本実施形態に係る気流拡散装置（拡散扇）の羽根車の平面図である。図６を参照すると、６本のスポーク４０のうち、２本に図形をあしらった飾り羽根５１を備えた６枚羽根の羽根車が示されている。上述したとおり、本発明では、そのピッチ角の調整により、羽根車の回転速度を低速することができるため、羽根部材３０のピッチ角の調整することによって、飾り羽根５１の動きを楽しむ構成を得ることができる。
【００２６】
続いて、本発明の第３の実施の形態について説明する。本実施の形態は、上述した第１、第２の実施の形態の羽根車を垂直方向に複数配置したことを特徴する。図７は、本実施形態に係る気流拡散装置（拡散扇）の側面図である。図７を参照すると、１本の垂直シャフト２０に２つの羽根車を並べた構成が示されている。本構成によれば、羽根車の数に応じて、吹出口１００と利用者との間に羽根部材３０が位置するタイミングを多数作り出すことができる。また、羽根車同士の径の大きさや、羽根部材３０の数、形状、面積、ピッチ角を変えることにより、相対的な回転動作の違いを楽しむ構成を得ることもできる。
【００２７】
続いて、本発明の第４の実施の形態について説明する。本実施の形態は、上述した各実施の形態のベアリングプレート６０に代えてスラスト軸受６１を配設したことを特徴する。図８は、本実施形態に係る気流拡散装置（拡散扇）の側方から見た場合の概略構成図である。このように、本発明は、図８に示された玉軸受のほか、磁気軸受等の各種スラスト軸受を追加することも可能である。
【００２８】
続いて、本発明の第５の実施の形態について説明する。本実施の形態は、上述した各実施の形態のベアリングプレート６０、スラスト軸受６１を吊下部材１０側に配設し、垂直シャフト２０にハブ５０を固定したことを特徴する。図９は、本実施形態に係る気流拡散装置（拡散扇）の側方から見た場合の概略構成図である。図９をを参照すると、垂直シャフト２０上端に吊下げエンド１５を固着し、その下面にベアリングプレート６０が配設されている。
【００２９】
以上、天井埋込型の空気調和機に後付けする場合に好適ないくつかの実施の形態を説明したが、本発明は上述の各実施形態に限定されず、種々の変形構成を採りうることはいうまでもない。
【００３０】
例えば、上記した各実施の形態では、天井埋込型の空気調和機に後付けすることのできる気流拡散装置（拡散扇）を説明したが、本発明は、天井埋込型の空気調和機以外にも適用可能である。他にも、壁掛け露出型や天井吊下げ型（露出型）の空気調和機があるが、吹出口付近に、上述した羽根車を一つ、或いは複数配置し、風力によって回転せしめて広角に吹出し気流を拡散させ、また、少なくとも羽根部材３０の通過時に直接風を寸断させることができる。
【００３１】
また、上記した各実施の形態では、背面プレート１１、台座プレート１２、これらを挟持するボルト１３、ナット１４にて、吊下げ部材を構成し、垂直シャフト２０を天井面から吊り下げるものとして説明したが、羽根車及びシャフトの重みに耐えうるものであれば、台座プレート１２を直接天井に打ち付ける、その他構成も採用可能である。また、適宜、垂直シャフト２０の中間部分と、天井に別途埋設したフック、リング等をチェーン、紐材、ピアノ線等で連結し荷重を分散させるようにしてもよい。
【００３２】
また、空気調和機の吸込口のグリル部分を垂直シャフト２０を支持可能な構造にすること、空気調和機の吸込口のグリル部分を上記台座プレート１２と掛合可能な構成とすることで、上記した気流拡散装置（拡散扇）の機能を備えた空気調和機を得ることができる。
【００３３】
また、上記した各実施の形態では、羽根部材３０は、スポーク保持構造３２を有し、ピッチ角を可変であること、スポーク４０上を移動させることが可能であるものとして説明したが、固定ピッチ型やレイアウト固定型の羽根車を用いることも可能である。
【００３４】
同様に、上記した各実施の形態では、６枚羽根で台形の羽根部材３０を備えた羽根車を用いるものとして説明したが、ハブ５０を代えることでその他複数枚の羽根部材を備える構成も採用できる。また、羽根部材３０の形状も、幾何学形状はもちろんとして、オール状のものや、ラグビーボール状のもの等、羽根車の回転が可能な形状であれば、各種形状を採用することができる。
【００３５】
また、上記した各実施の形態ではスポーク部材４０に羽根部材３０を取り付ける構成としているが、羽根部材３０にハブ部材５０との接合部を設けて羽根車を構成し、スポーク部材４０を省いた構成も採用可能である。この場合は、羽根車の径や羽根レイアウトは原則固定して用いることになる。もちろん、羽根車の径や羽根レイアウトが異なる羽根車を予め用意しておき、羽根車全体を交換するようにしてもよい。
【図面の簡単な説明】
【００３６】
【図１】本発明の一実施形態に係る気流拡散装置（拡散扇）の概略構成を表した図である。
【図２】図１の拡大図である。
【図３】本実施形態に係る気流拡散装置（拡散扇）の羽根車の平面図である。
【図４】図３のＰ−Ｐ’断面拡大図である。
【図５】本実施形態に係る気流拡散装置（拡散扇）の羽根車の平面図である。
【図６】本発明の第２の実施形態に係る気流拡散装置（拡散扇）の概略構成を表した図である。
【図７】本発明の第３の実施形態に係る気流拡散装置（拡散扇）の概略構成を表した図である。
【図８】本発明の第４の実施形態に係る気流拡散装置（拡散扇）の概略構成を表した図である。
【図９】本発明の第５の実施形態に係る気流拡散装置（拡散扇）の概略構成を表した図である。
【図１０】天井埋込型の空気調和機の送風方向を表した図である。
【符号の説明】
【００３７】
１０  吊下げ機構
１１  背面プレート
１２  台座プレート
１２ａ  垂直シャフト挿入部
１３  ボルト
１４  ナット
１５  吊下げエンド
２０  垂直シャフト
３０  羽根部材
３１  飾り羽根
３２  スポーク保持構造
３２ａ  ビス
４０  スポーク
５０  ハブ
５１  飾り羽根
６０  ベアリングプレート
６１  スラスト軸受
７０  エンド部材
１００  吹出口
１１０  吸込口
２００  空気調和機
【要約】
【課題】
空気調和機の温度設定が容易となり、また、冷え性や冷房病も予防できる気流拡散装置（拡散扇）を提供する。
【解決手段】
気流拡散装置（拡散扇）は、羽根部材３０とスポーク部材４０とハブ部材５０とからなる羽根車と、羽根車の回転軸を構成するシャフト部材２０と、天井面からシャフト部材２０を吊り下げる吊下部材１０と、を備える。この気流拡散装置（拡散扇）は、空気調和機の吹き出し口付近に、空気調和機から吹き降ろされる風が羽根部材に当たって回転するよう配設される。そして、回転する羽根車は、気流を拡散するとともに、吹出口１００から吐き出される冷風を遮る。
【選択図】
図１
【図１】
0003717509.tif 000002
【図２】
0003717509.tif 000003
【図３】
0003717509.tif 000004
【図４】
0003717509.tif 000005
【図５】
0003717509.tif 000006
【図６】
0003717509.tif 000007
【図７】
0003717509.tif 000008
【図８】
0003717509.tif 000009
【図９】
0003717509.tif 000010
【図１０】
0003717509.tif 000011